(57)【要約】【課題】バンド端及び係止部を頭部に密着させ、バンドのずれを防止し、快適な装着感を得る。【解決手段】ヘッドバンド１０の後方部のバンド端１３及び係止部１４は、バンド平面に対して装着時の上方に曲率中心を有する円弧状に形成されており、バンド端１３の表面には凸部１３ａが鋸歯状に設けられている。係止部１４には、バンド端１３と係合するバックル２０が取り付けられ、バックル２０の上面には、コ字状に切り込まれた弾発性を有する可動片２１が設けられ、その裏側には爪部が突出されている。バックル２０の側面には、凸部１３ａと爪部の係合を解除するための解除釦２３が設けられている。バンド端１３はバックル２０に対して円弧状の軸線に沿って挿入がなされ、挿入を停止すると、その位置で爪部が凸部１３ａに係合して、バンド端１３が元の方向に戻ることが規制される。【選択図】　　　　図２
2004076222.tif 000002
【特許請求の範囲】
【請求項１】
帽子の後部に取り付け、バンドの長さ調整が可能な合成樹脂製のサイズ調整機構であって、バンド平面に対して曲率中心を装着時の上方に有する円弧状のバンド端と、該バンド端を案内すると共に該バンド端を任意の位置で係止する係止部とから成ることを特徴とする帽子のサイズ調整機構。
【請求項２】
前記係止部は円弧状の案内ガイドと係止具とから成る請求項１に記載の帽子のサイズ調整機構。
【請求項３】
前記バンド端の表面には鋸歯状の凹凸部を設け、前記係止具には爪部を設け、前記爪部を前記凹凸部の任意の個所で係止するようにした請求項２に記載の帽子のサイズ調整機構。
【請求項４】
前記バンド端は可撓性を有し、前記係止具は硬質とした請求項２に記載の帽子のサイズ調整機構。
【請求項５】
前記係止具には係止解除手段を設けた請求項２に記載の帽子のサイズ調整機構。
【請求項６】
前記帽子は安全帽とし、前記安全帽に内装したヘッドバンドの後部に前記バンド端と係止部とを設けた請求項１に記載の帽子のサイズ調整機構。
【発明の詳細な説明】
【０００１】
【発明の属する技術分野】
本発明は、例えば安全帽に装着し、使用者の頭部の形状、大きさに合わせてバンドの長さを調節する帽子のサイズ調整機構に関するものである。
【０００２】
【従来の技術】
安全帽はその性格上、使用者の頭部に確実に装着でき、また望ましくは装着に不快感があってはならない。そのための１つとして、安全帽内に装着し頭部に直接に装着するヘッドバンドは、一般に後頭部においてその長さ調整が可能となっている。
【０００３】
図６は従来のヘッドバンド１において、鋸歯状の凸部２を有するバンド端３をバックル４に挿通し、バンド端３をバックル４に対する任意の位置で、バックル４の図示しない爪部によって係止することにより、バンド端３の長さを調整して使用者の頭部に合わせている。なお、５は係止解除釦である。
【０００４】
【発明が解決しようとする課題】
しかしながら、従来のこのヘッドバンド１のサイズ調整機構においては、バンド端３は直線状であり、安全帽の装着時に球状の後頭部に対して必ずしも十分に適合されず、後頭部との間に隙間が生じたり、ずれ易く、後頭部にバンド端２やバックル３の後縁部が線接触するなど、装着感も好ましいものではない。
【０００５】
本発明の目的は、上述の課題を解決し、装着感に優れ、後頭部からずれ難い帽子のサイズ調整機構を提供することにある。
【０００６】
【課題を解決するための手段】
上記目的を達成するための本発明に係る帽子のサイズ調整機構は、帽子の後部に取り付け、バンドの長さ調整が可能な合成樹脂製のサイズ調整機構であって、バンド平面に対して曲率中心を装着時の上方に有する円弧状のバンド端と、該バンド端を案内すると共に該バンド端を任意の位置で係止する係止部とから成ることを特徴とする。
【０００７】
【発明の実施の形態】
本発明を図１〜図５に図示の実施の形態に基づいて詳細に説明する。
図１は本実施の形態における安全帽のヘッドバンドを展開した平面図、図２は安全帽に装着した状態のヘッドバンドのサイズ調整機構を後方から見た斜視図を示している。
【０００８】
可撓性を有する合成樹脂材から成るヘッドバンド１０は、前頭部部分１１、側頭部部分１２、後頭部に位置するバンド端１３、バンド端１３の反対側にあってバンド端１３を係止する係止部１４から成っている。また、前頭部部分１１及び側頭部部分１２には、安全帽の帽体内部に固定するための複数のフック１５、孔部１６、取付片１７が適宜に設けられている。
【０００９】
バンド端１３及び係止部１４は、バンド平面に対して装着時の上方に曲率中心を有する円弧状に形成されており、バンド端１３の表面には円弧状の軸線に沿って多数の凸部１３ａが鋸歯状に並設されている。また係止部１４には、同様に円弧状の軸線に沿って複数個のバンド通し部１４ａが形成されており、バンド端１３と係合する図３に示すような硬質の合成樹脂材から成るバックル２０が取り付けられている。バックル２０はその内部の両側部にバンド端３を挿通する図示しない円弧状のガイド面を有している。また上面には、コ字状に切り込まれた弾発性を有する可動片２１が設けられており、その裏側には内方に向けて爪部２２が突出されている。
【００１０】
図４はバンド端１３をバックル２０に挿通した状態の挿入方向の断面図を示しており、バックル２０の爪部２２は、入口部側は斜面２２ａとされ、出口側は垂直面２２ｂとされ、またバンド端１３の凸部１３ａは先端側が斜面１３ｂ、後端側が垂直面１３ｃとされている。
【００１１】
バックル２０の側面には、凸部１３ａと爪部２２の係合を解除するための解除釦２３が、バックル本体に弾発性を有するアーム２３ａを介して設けられている。図５に示すように、可動片２１の裏側の解除釦２３側には傾斜部２１ａが設けられ、解除釦２３の先端部２３ｂが、傾斜部２１ａに当接するようになっている。なお、図３において、２４はバックル２０をヘッドバンドに取り付けるための取付部、２５は補強用のリブである。
【００１２】
バックル２０にバンド端１３を挿入すると、バンド端１３の凸部１３ａの斜面１３ｂと爪部２２の斜面２２ａが接触し、バンド端１３の挿入に従って爪部２２は、図４の点線で示すように可動片２１と共に上方に押し上げられ、垂直面１３ｃを通過し終わると、爪部２２は実線で示す元の位置に戻る。これを繰り返しながら、バンド端１３は爪部２２との間でカチカチとクリック音を発しながら、バックル２０に対して円弧状の軸線に沿って挿入がなされる。挿入を停止すると、その位置で爪部２２の垂直面２２ｂと凸部１３ａの垂直面１３ｃが係合して、バンド端１３が元の方向に戻ることが規制される。
【００１３】
予めバンド端１３をバックル２０に挿通したヘッドバンド１０を備えた安全帽を使用者は頭部に被着し、必要に応じてサイズを調整する。この際に、バンド端１３をバックル２０に送り込むことにより、凸部１３ａのピッチ間隔でサイズが小さくなるように調整できる。
【００１４】
また、サイズを広げたり、バンド端１３をバックル２０から引き抜く場合には、解除釦２３を図５の点線の位置から実線の位置に押し込むことにより、図５の実線、図４の点線で示すように、可動片２１は傾斜部２２を介して上方に持ち上げられ、爪部２２の凸部１３ａに対する係止作用が解除されるので、バンド端１３を必要な長さ分だけバックル２０から引き出すことができる。
【００１５】
このヘッドバンド１０の円弧状のバンド端１３及び係止部１４は、使用者の後頭部の後頭骨より下側に沿って密着するため装着感も良く、ヘッドバンド１０が頭部からずれ難い。
【００１６】
なお、本実施の形態ではこのサイズ調整機構を安全帽について説明したが、野球帽等の一般の帽子に取り付けて用いることもできる。
【００１７】
【発明の効果】
以上説明したように本発明に係る帽子のサイズ調整機構は、後頭部に位置するバンド端及び係止部を円弧状としたことにより、より頭部に密着させることができ、帽子のずれを防止でき、快適な装着感が得られる。
【図面の簡単な説明】
【図１】ヘッドバンドを展開した状態の平面図である。
【図２】安全帽に装着した状態のヘッドバンドのバンド調整機構を後方から見た斜視図である。
【図３】バックルの平面図である。
【図４】バンド端をバックルに挿通した状態の挿入方向の断面図である。
【図５】バックルのバンド端の挿入方向と直交する方向の断面図である。
【図６】従来のサイズ調整機構の平面図である。
【符号の説明】
１０　ヘッドバンド
１１　前頭部部分
１２　側頭部部分
１３　バンド端
１３ａ　凸部
１３ｂ、２２ａ　斜面
１３ｃ、２２ｂ　垂直面
１４　係止部
２０　バックル
２１　可動片
２２　爪部
２３　解除釦
【図１】
2004076222.tif 000003
【図２】
2004076222.tif 000004
【図３】
2004076222.tif 000005
【図４】
2004076222.tif 000006
【図５】
2004076222.tif 000007
【図６】
2004076222.tif 000008